Podtech/llm-jp-corpus-v4-ja_patent huggingface dataset:
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
流体作動機械の作動チャンバと作動流体ギャラリとの間の作動流体の流れを調整するためのバルブアセンブリであって、バルブ部材および１つ以上の協働バルブシートを備えるバルブと、前記バルブ部材を前記１つ以上のバルブシートから離れるようにまたは１つ以上のバルブシートに向かうように促す力を加えるように作動可能なアクチュエータと、少なくとも部分的にチューブ内に配置されたコネクタを備える、前記アクチュエータと前記バルブ部材との間の連結部とを備え、前記コネクタの少なくとも一部分と前記チューブとの間に設けられたコネクタ空隙が、作動流体ギャラリ出口と流体連通しており、
前記コネクタ空隙は、前記バルブに隣接して配置されて、前記バルブの周囲の流体圧力に一方の側で暴露される第１のコネクタガイドと、前記コネクタとの間に設けられた隙間を通る漏洩経路を介して、前記バルブと流体連通している、バルブアセンブリ。
【請求項２】
前記コネクタ空隙は、１回のバルブ作動サイクル全体を通して前記作動流体ギャラリ出口と流体連通している、請求項１に記載のバルブアセンブリ。
【請求項３】
前記チューブは、前記チューブの内径の２倍以下の最大壁厚を有する、請求項１または２に記載のバルブアセンブリ。
【請求項４】
前記チューブは、前記チューブの外径の２倍を超える最小軸方向長を有する、請求項１〜３のいずれか１項に記載のバルブアセンブリ。
【請求項５】
前記チューブ内に配置された前記コネクタの前記少なくとも一部は、前記バルブアセンブリの軸方向に延在する、請求項１〜４のいずれか１項に記載のバルブアセンブリ。
【請求項６】
前記コネクタ空隙は、前記作動流体ギャラリ出口と流体連通しており、前記出口は、１つ以上の概ね半径方向延在流体通路を備える、請求項１〜５のいずれか１項に記載のバルブアセンブリ。
【請求項７】
前記コネクタ空隙は、バルブアセンブリコンポーネント間の密着動きばめまたは滑りばめよりも小さいかまたは等しい隙間によって画定される１つ以上の漏洩経路を介してのみ前記バルブと流体連通している、請求項１〜６のいずれか１項に記載のバルブアセンブリ。
【請求項８】
前記連結部は、前記コネクタ空隙と流体連通しているアーマチュア空隙内に配置されたアーマチュアをさらに備え、前記アーマチュア空隙は、前記作動流体ギャラリ出口と前記コネクタ空隙を介して流体連通している、請求項１〜７のいずれか１項に記載のバルブアセンブリ。
【請求項９】
前記チューブは、前記チューブの１つ以上の壁内に配置された少なくとも１つのチューブ空隙を備え、前記少なくとも１つのチューブ空隙は、前記作動流体ギャラリ出口と前記アーマチュア空隙および／または前記コネクタ空隙との間に流体流路を提供する、請求項８に記載のバルブアセンブリ。
【請求項１０】
前記アーマチュアと前記バルブ部材とは、前記コネクタによって互いに連結されている、請求項８または９に記載のバルブアセンブリ。
【請求項１１】
前記コネクタに半径方向案内を提供する第２のコネクタガイドをさらに備える、請求項１〜１０のいずれか１項に記載のバルブアセンブリ。
【請求項１２】
前記チューブは流体ギャラリを通って延在し、前記チューブの外壁の少なくとも一部が、前記流体ギャラリのある壁の一部を形成している、請求項１〜１１のいずれか１項に記載のバルブアセンブリ。
【請求項１３】
前記チューブは、基部コンポーネントに固定的に取り付けられるかまたは基部コンポーネントと一体的に形成され、前記流体ギャラリのための密閉シールを形成するように構成されている、請求項１２に記載のバルブアセンブリ。
【請求項１４】
前記バルブは低圧バルブであり、前記作動流体ギャラリは低圧流体ギャラリであり、前記流体ギャラリは高圧流体ギャラリである、請求項１２または１３に記載のバルブアセンブリ。
【請求項１５】
前記コネクタ空隙の一部分および／または前記概ね半径方向延在流体通路のうちの１つ以上は、前記基部コンポーネントを完全に貫いて延在している、請求項６に従属する請求項１３に記載のバルブアセンブリ。
【請求項１６】
作動チャンバと、作動流体ギャラリと、請求項１〜１５のいずれか１項に記載のバルブアセンブリとを備え、前記バルブアセンブリは、前記作動チャンバと前記作動流体ギャラリとの間の作動流体の流れを調整するように配設されている、流体作動機械。
【請求項１７】
前記流体作動機械は、各々がそれぞれのバルブに関連付けられ、前記それぞれのバルブによって前記作動流体ギャラリに選択的に接続される複数の作動チャンバを備える、請求項１６に記載の流体作動機械。
【請求項１８】
前記チューブは、流体ギャラリを完全に貫いて延在し、それにより、前記流体ギャラリの前記壁の一部を形成し、かつ／あるいは前記流体ギャラリのための密閉シールを形成するように構成された基部コンポーネントに固定的に取り付けられるかまたはそれと一体的に形成されている、請求項１６または１７に記載の流体作動機械。
【請求項１９】
前記バルブは低圧バルブであり、前記作動流体ギャラリは低圧流体ギャラリであり、前記流体ギャラリは高圧流体ギャラリである、請求項１８に記載の流体作動機械。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
対象の生体試料に存在するNa/K ATPアーゼのY260残基でのリン酸化量を決定すること、及び
前記試料中にリン酸化が存在する場合、その量を対照レベルと比較することを含み、ここで、前記試料中のリン酸化量が前記対照レベルと比較して減少していることは、前記対象が癌又はそのリスクを有することを示唆する、対象における癌の診断又は予後予測を補助するデータを取得する方法。
【請求項２】
前記Na/K ATPアーゼがα1 Na/K ATPアーゼアイソフォームである、請求項１に記載の方法。
【請求項３】
前記生体試料が１以上の癌細胞を含む、請求項１又は２に記載の方法。
【請求項４】
前記生体試料が腫瘍生検を含む、請求項１又は２に記載の方法。
【請求項５】
前記癌が前立腺癌又は乳癌である、請求項１〜４のいずれか１項に記載の方法。
【請求項６】
前記癌が転移性癌である、請求項１〜５のいずれか１項に記載の方法。
【請求項７】
Y260残基でのリン酸化量を決定することが、質量分析(MS)法、イムノアッセイ分析又はその両方を使用してリン酸化量を決定することを含む、請求項１〜６のいずれか１項に記載の方法。
【請求項８】
前記対象がヒトである、請求項１〜７のいずれか１項に記載の方法。
【請求項９】
対象の生体試料に存在するNa/K ATPアーゼのY260残基でのリン酸化量を決定すること、及び
前記試料中にリン酸化が存在する場合、その量を対照レベルと比較することを含む、癌の治療法の選択又は改変を補助するデータを取得する方法。
【請求項１０】
前記生体試料中のSrc活性の量を測定することを更に含む、請求項１〜９のいずれか１項に記載の方法。
【請求項１１】
対象の１以上の細胞に存在するNa/K ATPアーゼのY260残基のリン酸化量を決定すること
を含む、酸化的リン酸化から好気的解糖への代謝のスイッチを検出する方法。
【請求項１２】
前記Na/K ATPアーゼがα1 Na/K ATPアーゼアイソフォームである、請求項１１に記載の方法。
【請求項１３】
前記１以上の細胞が癌細胞を含む、請求項１１又は１２に記載の方法。
【請求項１４】
癌細胞が前立腺癌細胞、腎臓癌細胞又は乳癌細胞である、請求項１３に記載の方法。
【請求項１５】
Y260残基でのリン酸化量を決定することが、質量分析(MS)法、イムノアッセイ分析又はその両方を使用してリン酸化量を決定することを含む、請求項１１〜１４のいずれか１項に記載の方法。
【請求項１６】
前記対象がヒトである、請求項１１〜１５のいずれか１項に記載の方法。
【請求項１７】
前記１以上の細胞で産生される乳酸量を決定することを更に含む、請求項１１〜１６のいずれか１項に記載の方法。
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
熱による毛髪損傷度を決定する方法であって、
毛髪サンプルをＵＶまたはＵＶ／ＶＩＳ光に曝露している間に、該毛髪サンプルと相互作用したＵＶまたはＵＶ／ＶＩＳ光の少なくとも一部のスペクトルを記録すること；
スペクトルの少なくとも一部を、ＵＶまたはＵＶ／ＶＩＳスペクトルと、複数のキャリブレーション毛髪サンプルの熱損傷度とを用いて得られる分光学的キャリブレーションモデルと比較すること；および、
前記比較を用いて熱による毛髪損傷度を決定すること
を含む方法。
【請求項２】
複数のキャリブレーション毛髪サンプルに対して、
キャリブレーション毛髪サンプルをＵＶまたはＵＶ／ＶＩＳ光に曝露している間に、該キャリブレーション毛髪サンプルと相互作用したＵＶまたはＵＶ／ＶＩＳ光の少なくとも一部のキャリブレーションスペクトルを記録すること；
独立した方法によりキャリブレーション毛髪サンプルの熱による毛髪損傷度を決定すること；および
キャリブレーションスペクトルに毛髪損傷度を割り当てること
を含む、キャリブレーションモデルの作成；並びに、
複数のキャリブレーションスペクトルと複数の熱による毛髪損傷度との間の相関関係を決定すること
をさらに含む、請求項１に記載の方法。
【請求項３】
独立した方法はトリプトファン含量を測定することを含む、請求項２に記載の方法。
【請求項４】
トリプトファン含量の測定は、クロマトグラフィー法または比色法を含む、請求項３に記載の方法。
【請求項５】
ＵＶまたはＵＶ／ＶＩＳ光の少なくとも一部が約２８０ｎｍ付近の、好ましくは２７０〜２９０ｎｍの間の波長範囲を有する、請求項１〜４のいずれかに記載の方法。
【請求項６】
毛髪サンプルおよび／またはキャリブレーション毛髪サンプルの曝露は、約２８０ｎｍ付近の、好ましくは２７０〜２９０ｎｍの間の波長範囲を有するＵＶまたはＵＶ／ＶＩＳ光により行われる、請求項１〜５のいずれかに記載の方法。
【請求項７】
複数のキャリブレーション毛髪サンプルに対して、
キャリブレーション毛髪サンプルをＵＶまたはＵＶ／ＶＩＳ光に暴露している間に、該キャリブレーション毛髪サンプルと相互作用したＵＶまたはＵＶ／ＶＩＳ光の少なくとも一部のキャリブレーションスペクトルを取得すること；
各検出波長に対するスペクトルにおいて検出されたＵＶまたはＵＶ／ＶＩＳ光の強度に対する、キャリブレーション毛髪サンプルに曝露されたＵＶまたはＵＶ／ＶＩＳ光の強度の強度比を決定し、
独立した方法によりキャリブレーション毛髪サンプルの熱による毛髪損傷度を決定すること；および
キャリブレーションスペクトルに毛髪損傷度を割り当てること
を含む、キャリブレーションモデルの作成；並びに、
複数のキャリブレーション比と複数の熱による毛髪損傷度との間の相関関係を決定すること
をさらに含む、請求項１に記載の方法。
【請求項８】
独立した方法が理論上の毛髪損傷期間の決定を含む、請求項７に記載の方法。
【請求項９】
ＵＶまたはＵＶ／ＶＩＳ光の少なくとも一部が３００〜３５０ｎｍの波長範囲を有する、請求項７または８に記載の方法。
【請求項１０】
毛髪サンプルおよび／またはキャリブレーション毛髪サンプルの曝露は２５０〜３００ｎｍの波長範囲を有するＵＶまたはＵＶ／ＶＩＳ光により行われる、請求項７〜９のいずれかに記載の方法。
【請求項１１】
熱による毛髪損傷度を測定するための装置であって、
毛髪サンプルをＵＶまたはＵＶ／ＶＩＳ光に曝露するためのＵＶ光源またはＵＶ／ＶＩＳ光源；
毛髪サンプルと相互作用するＵＶまたはＵＶ／ＶＩＳ光の少なくとも一部のスペクトルを記録するための分光計；および
ＵＶまたはＵＶ／ＶＩＳスペクトルと、複数のキャリブレーション毛髪サンプルの熱による毛髪損傷度とを用いて得られる分光学的キャリブレーションモデルを保存するデータメモリ、および、少なくとも一部のスペクトルを分光学的キャリブレーションモデルと比較し、該比較を用いて熱による毛髪損傷度を決定するためのプロセッサを有するデータ処理装置
を含んでなる装置。
【請求項１２】
ＵＶまたはＵＶ／ＶＩＳ光源および分光計は統合ユニットを形成する、請求項１１に記載の装置。
【請求項１３】
統合ユニットおよび／またはデータ処理装置はモバイルデバイスである、請求項１１または１２に記載の装置。
【請求項１４】
個別のトリートメント指令を決定する方法であって、
請求項１〜１０のいずれかに記載の方法に従い、個別の熱による毛髪損傷度を決定すること；および
決定された熱による毛髪損傷度に応じて、コンピュータを利用して個別のトリートメント指令を決定すること
を含む方法。
【請求項１５】
個別のトリートメント指令が、ブリーチ製品および／または染色剤および／またはヘアケア製品および／またはヘアスタイリング製品の提案を含む、請求項１４に記載の方法。
【手続補正２】
【補正対象書類名】明細書
【補正対象項目名】００２８
【補正方法】変更
【補正の内容】
【００２８】
様々な例示的な実施形態において、前記方法は、キャリブレーションモデルの作成（キャリブレーションモデルの作成は、複数のキャリブレーション毛髪サンプルに対して、キャリブレーション毛髪サンプルをＵＶまたはＵＶ／ＶＩＳ光に曝露している間に、該キャリブレーション毛髪サンプルと相互作用したＵＶまたはＵＶ／ＶＩＳ光の少なくとも一部のキャリブレーションスペクトルを記録すること、独立した方法によりキャリブレーション毛髪サンプルの熱による毛髪損傷度を決定すること、および、キャリブレーションスペクトルに毛髪損傷度を割り当てることを含み得る）および複数のキャリブレーションスペクトルと複数の熱損傷度との間の相関関係を決定することをさらに含んでいてよい。
【手続補正３】
【補正対象書類名】明細書
【補正対象項目名】００３２
【補正方法】変更
【補正の内容】
【００３２】
様々な例示的な実施形態において、前記方法は、キャリブレーションモデルの作成（キャリブレーションモデルの作成は、複数のキャリブレーション毛髪サンプルに対して、キャリブレーション毛髪サンプルをＵＶまたはＵＶ／ＶＩＳ光に暴露している間に、該キャリブレーション毛髪サンプルと相互作用したＵＶまたはＵＶ／ＶＩＳ光の少なくとも一部のスペクトルを取得すること、各検出波長に対するスペクトルにおいて検出されたＵＶまたはＵＶ／ＶＩＳ光の強度に対する、キャリブレーション毛髪サンプルに曝露されたＵＶまたはＵＶ／ＶＩＳ光の強度の強度比を決定すること、独立した方法によりキャリブレーション毛髪サンプルの熱による毛髪損傷度を決定すること、および、キャリブレーションスペクトルに毛髪損傷度を割り当てることを含み得る）および複数のキャリブレーション比と複数の熱損傷度との間の相関関係を決定することをさらに含んでいてよい。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
回転軸と、前記回転軸と結合するローターと、前記ローターの外側に配置されるステーターとを含むモーター部と；
前記モーター部と結合し、複数のギア歯を有する第１ローブを含む第１ローターと、前記第１ローターの外側に配置され、第２ローブを含む第２ローターとを含むポンプ部と；
前記ポンプ部が配置される第２面を含む第２カバーと；
を含み、
前記第２面は、第２吸入ポートと第２排出ポートが配置され、
前記第２面に備えられる第２吸入ポートは、前記第２吸入ポートの内側に突出する第３突起を含み、
前記第１ローターの中心と前記第２ローターの中心を連結する第１線と、前記第１ローターの中心と前記第３突起の終端を連結する第２線との成す角度は、第１ロッドの前記ギア歯の個数に反比例する電動ポンプ。
【請求項２】
前記第１ローターの中心と前記第２ローターの中心を通る第１線と、前記第３突起と隣接した領域で前記第２吸入ポートの端部を連結する第３線とは、互いに平行である、請求項１に記載の電動ポンプ。
【請求項３】
前記第１線と前記第２線の距離は、前記第１ローターの中心と前記第２ローターの中心間の距離に比例する、請求項２に記載の電動ポンプ。
【請求項４】
前記モーター部と前記ポンプ部との間には、第１カバーが配置され、
前記第１カバーは、前記ポンプ部を収容する第１面を含み、
前記第１面は、第１吸入ポートと第１排出ポートを含み、
前記第１吸入ポートと前記第２吸入ポートは、形状が異なる、請求項１に記載の電動ポンプ。
【請求項５】
前記第２カバーは、前記第２吸入ポートに連通する吸入口および前記第２排出ポートと連通する排出口を含む、請求項１〜４のいずれかに記載の電動ポンプ。
【請求項６】
前記第１ローターの中心には、前記回転軸と結合する第３結合孔が形成され、
前記回転軸は、少なくとも一つの切断面を具備し、
前記切断面は、前記第３結合孔と型合わせを成す、請求項１に記載の電動ポンプ。
【請求項７】
回転軸と、前記回転軸が配置されるローターと、前記ローターの外側に配置されるステーターと、前記ステーターの上側に配置され、バスバーおよび前記ローターとステーターを収容するモーターハウジングとを含むモーター部と；
前記モーターの上部に配置され、前記バスバーの端子に結合する電源ターミナルを含むコネクター部と；を含み、
前記バスバーは、前記ステーターまたは前記ローターに巻線されるコイルと結合するバスバー端子および前記バスバー端子を絶縁するバスバー胴体を含み、
前記電源ターミナルの端部は、一対の接触部に分岐し、
前記バスバー端子は、前記接触部の間に挿入されて電気的に連結される電動モーター。
【請求項８】
一対の前記接触部が分岐される地点は、曲面で配置される、請求項７に記載の電動モーター。
【請求項９】
前記接触部は、
分岐される地点から幅が増加する第１領域と、
前記第１領域から延びて再び幅が減少する第２領域と、
前記第２領域から再び幅が増加する第３領域とを含み、
前記第２領域と前記第３領域が連結される地点が前記バスバー胴体と接触する、請求項８に記載の電動モーター。
【請求項１０】
前記第３領域は、曲面を具備する、請求項９に記載の電動モーター。
【請求項１１】
前記バスバー胴体には、一対の前記接触部をガイドするために一対の第１突起が備えられる、請求項７に記載の電動モーター。
【請求項１２】
前記バスバー端子は、曲面部を具備して前記接触部と面接触する、請求項７に記載の電動モーター。
【請求項１３】
回転軸と；
前記回転軸が配置されるホールを含むローターと；
前記ローターの外側に配置されるステーターと；を含み、
前記ローターは、ローターコア；およびマグネット；を含み、
前記ローターコアは、
本体と；
前記本体に形成されて、前記マグネットが配置されるポケットと；
前記ポケットの両側に延長形成された第１バリアーと；
前記本体の内周面と前記本体の外周面との間に形成された第２バリアーと；を含み、
前記第２バリアーの中心Ｃ１１は、
前記本体の中心ＣＣと前記マグネットの幅Ｗの中心を通る第１線Ｌ１１から円周方向に所定の配置角θを有するモーター。
【請求項１４】
前記配置角θは、下記の数式により求められる、請求項１３に記載のモーター。
2020533513.tif 000001
Ｗ：マグネットの幅、Ｄ１１：本体の中心からマグネットの内側面までの距離、Ｄ２２：本体の中心からマグネットの外側面までの距離。
【請求項１５】
前記第２バリアーは、所定の半径Ｒを有する、請求項１４に記載のモーター。
【請求項１６】
前記本体の中心ＣＣと前記第２バリアーの中心Ｃ１１を通る第２線Ｌ２２の線上には、前記マグネットの内側面が配置される、請求項１５に記載のモーター。
【請求項１７】
前記本体の中心ＣＣから前記第２バリアーの中心Ｃ１１までの配置距離Ｄ３３は、下記の数式により求められる、請求項１６に記載のモーター。
2020533513.tif 000002
Ｏ：第２線の線上に配置される第２バリアーの外周面の一点Ｐ１とマグネットの内側面の一点Ｐ２との間の距離。
【請求項１８】
前記第２バリアーは、前記本体の上端から下端まで長く形成される、請求項１３に記載のモーター。
【請求項１９】
一つの前記マグネットに対応するように配置される二つの前記第２バリアーは、前記第１線Ｌ１１を基準として対称となるように配置される、請求項１３に記載のモーター。
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
抗ＢＣＭＡ抗原結合タンパク質、プロテアソーム阻害剤、および場合により抗炎症化合物を含んでなる、癌の治療において使用するための組合せ医薬。
【請求項２】
前記組合せ医薬が抗炎症化合物を含んでなる、請求項１に記載の組合せ医薬。
【請求項３】
前記抗ＢＣＭＡ抗原結合タンパク質が、配列番号１に示されるアミノ酸配列と少なくとも９０％の配列同一性を有するアミノ酸配列を含んでなるＣＤＲＨ１；配列番号２に示されるアミノ酸配列と少なくとも９０％の配列同一性を有するアミノ酸配列を含んでなるＣＤＲＨ２；配列番号３に示されるアミノ酸配列と少なくとも９０％の配列同一性を有するアミノ酸配列を含んでなるＣＤＲＨ３；配列番号４に示されるアミノ酸配列と少なくとも９０％の配列同一性を有するアミノ酸配列を含んでなるＣＤＲＬ１；配列番号５に示されるアミノ酸配列と少なくとも９０％の配列同一性を有するアミノ酸配列を含んでなるＣＤＲＬ２；および配列番号６に示されるアミノ酸配列と少なくとも９０％の配列同一性を有するアミノ酸配列を含んでなるＣＤＲＬ３を含んでなる、請求項１または２に記載の組合せ医薬。
【請求項４】
前記抗ＢＣＭＡ抗原結合タンパク質が、配列番号７に示されるアミノ酸配列と少なくとも９０％の配列同一性を有するアミノ酸配列を含んでなる重鎖可変領域（ＶＨ）；および配列番号８に示されるアミノ酸配列と少なくとも９０％の配列同一性を有するアミノ酸配列を含んでなる軽鎖可変領域（ＶＬ）を含んでなる抗体である、請求項１〜３のいずれか一項に記載の組合せ医薬。
【請求項５】
前記抗炎症化合物がデキサメタゾンである、請求項１〜４のいずれか一項に記載の組合せ医薬。
【請求項６】
前記プロテアソーム阻害剤が、ボルテゾミブ、カルフィルゾミブ、イキサゾミブおよびオプロゾミブである、請求項１〜５のいずれか一項に記載の組合せ医薬。
【請求項７】
前記抗ＢＣＭＡ抗原結合タンパク質が、ＭＭＡＥまたはＭＭＡＦから選択される細胞毒素に結合された抗体を含んでなる免疫複合体である、請求項１〜６のいずれか一項に記載の組合せ医薬。
【請求項８】
前記癌が、多発性骨髄腫、慢性リンパ球性白血病および非ホジキンリンパ腫から選択される、請求項１〜７のいずれか一項に記載の組合せ医薬。
【請求項９】
癌の治療において使用するための医薬の製造における、抗ＢＣＭＡ抗原結合タンパク質、プロテアソーム阻害剤、および場合により抗炎症化合物を含んでなる組合せの使用。
【請求項１０】
（ｉ）抗ＢＣＭＡ抗原結合タンパク質；
（ｉｉ）プロテアソーム阻害剤および場合により抗炎症化合物と組み合わせた場合に癌の治療において使用するための説明書
を含んでなる、癌の治療において使用するためのキット。
【請求項１１】
前記抗ＢＣＭＡ抗原結合タンパク質が、配列番号１に示されるアミノ酸配列と少なくとも９０％の配列同一性を有するアミノ酸配列を含んでなるＣＤＲＨ１；配列番号２に示されるアミノ酸配列と少なくとも９０％の配列同一性を有するアミノ酸配列を含んでなるＣＤＲＨ２；配列番号３に示されるアミノ酸配列と少なくとも９０％の配列同一性を有するアミノ酸配列を含んでなるＣＤＲＨ３；配列番号４に示されるアミノ酸配列と少なくとも９０％の配列同一性を有するアミノ酸配列を含んでなるＣＤＲＬ１；配列番号５に示されるアミノ酸配列と少なくとも９０％の配列同一性を有するアミノ酸配列を含んでなるＣＤＲＬ２；および配列番号６に示されるアミノ酸配列と少なくとも９０％の配列同一性を有するアミノ酸配列を含んでなるＣＤＲＬ３を含んでなる、請求項１０に記載の癌の治療において使用するためのキット。
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
抗ＢＣＭＡ抗原結合タンパク質、免疫調節イミド薬（ＩＭｉＤ）、および場合により抗炎症化合物を含んでなる、癌の治療において使用するための組合せ医薬。
【請求項２】
前記抗ＢＣＭＡ抗原結合タンパク質が、配列番号１に示されるアミノ酸配列と少なくとも９０％の配列同一性を有するアミノ酸配列を含んでなるＣＤＲＨ１；配列番号２に示されるアミノ酸配列と少なくとも９０％の配列同一性を有するアミノ酸配列を含んでなるＣＤＲＨ２；配列番号３に示されるアミノ酸配列と少なくとも９０％の配列同一性を有するアミノ酸配列を含んでなるＣＤＲＨ３；配列番号４に示されるアミノ酸配列と少なくとも９０％の配列同一性を有するアミノ酸配列を含んでなるＣＤＲＬ１；配列番号５に示されるアミノ酸配列と少なくとも９０％の配列同一性を有するアミノ酸配列を含んでなるＣＤＲＬ２；および配列番号６に示されるアミノ酸配列と少なくとも９０％の配列同一性を有するアミノ酸配列を含んでなるＣＤＲＬ３を含んでなる、請求項１に記載の組合せ医薬。
【請求項３】
前記抗ＢＣＭＡ抗原結合タンパク質が、配列番号７に示されるアミノ酸配列と少なくとも９０％の配列同一性を有するアミノ酸配列を含んでなる重鎖可変領域（ＶＨ）；および配列番号８に示されるアミノ酸配列と少なくとも９０％の配列同一性を有するアミノ酸配列を含んでなる軽鎖可変領域（ＶＬ）を含んでなる抗体である、請求項１または２に記載の組合せ医薬。
【請求項４】
場合により含まれる前記抗炎症化合物がデキサメタゾンである、請求項１〜３のいずれか一項に記載の組合せ医薬。
【請求項５】
前記ＩＭｉＤがサリドマイド類似体である、請求項１〜４のいずれか一項に記載の組合せ医薬。
【請求項６】
前記ＩＭｉＤがポマリドミドである、請求項１〜４のいずれか一項に記載の組合せ医薬。
【請求項７】
前記ＩＭｉＤがレナリドミドである、請求項１〜４のいずれか一項に記載の組合せ医薬。
【請求項８】
前記抗ＢＣＭＡ抗原結合タンパク質が、ＭＭＡＥまたはＭＭＡＦから選択される細胞毒素に結合された抗体を含んでなる免疫複合体である、請求項１〜７のいずれか一項に記載の組合せ医薬。
【請求項９】
前記癌が、多発性骨髄腫、慢性リンパ球性白血病および非ホジキンリンパ腫から選択される、請求項１〜８のいずれか一項に記載の組合せ医薬。
【請求項１０】
癌の治療において使用するための医薬の製造における、抗ＢＣＭＡ抗原結合タンパク質、免疫調節イミド薬（ＩＭｉＤ）、および場合により抗炎症化合物を含んでなる組合せの使用。
【請求項１１】
（ｉ）抗ＢＣＭＡ抗原結合タンパク質；
（ｉｉ）免疫調節イミド薬（ＩＭｉＤ）および場合により抗炎症化合物と組み合わせた場合に癌の治療において使用するための説明書
を含んでなる、癌の治療において使用するためのキット。
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
水性口腔ケアフッ化物処置組成物であって
０．５重量％〜４．８重量％の水溶性カチオン性Ｎ含有ポリマーと、
薬学的に許容される緩衝剤と、
１．０重量％〜２．５重量％のフッ化ナトリウムと、
少なくとも６０重量％の水と
を含み、ここで、前記重量％は前記水性組成物の総重量に基づくものである、処置組成物。
【請求項２】
前記水溶性カチオン性Ｎ含有ポリマーが、０．６重量％〜４．０重量％の量で存在する、請求項１に記載の処置組成物。
【請求項３】
前記水溶性カチオン性Ｎ含有ポリマーが、前記処置組成物中に組み込まれる前はカチオン性ではないポリマー前駆体から誘導される、請求項１又は２に記載の処置組成物。
【請求項４】
前記水溶性Ｎ含有ポリマー又はポリマー前駆体が、ジメチルアミノエチル側基を有する（メタ）アクリレートコポリマー、ポリエチレンイミン、カチオン変性多糖、及びこれらの組み合わせから選択される、請求項１〜３のいずれか一項に記載の処置組成物。
【請求項５】
前記水溶性カチオン性Ｎ含有ポリマー又はポリマー前駆体が、
【化１】
2020533323.tif 000001
（式中、ｎ＝５０〜２０００）、
【化２】
2020533323.tif 000002
（式中、ｘ＝２００〜２０，０００、及びｙ＝２００〜２０，０００）
【化３】
2020533323.tif 000003
（式中、ｎ＝５，０００〜１，０００，０００）
【化４】
2020533323.tif 000004
（式中、ｎ＝１０〜１，０００）、
及び上記のいずれかの組み合わせ
から選択される、請求項４に記載の処置組成物。
【請求項６】
増粘剤を更に含み、前記増粘剤が、前記組成物に１．０／秒の剪断速度で０．５〜１００パスカル秒の粘度を提供するのに十分な量、且つ２．５重量％未満の量で存在する、請求項１〜５のいずれか一項に記載の処置組成物。
【請求項７】
カルシウム塩を更に含む、請求項１〜６のいずれか一項に記載の処置組成物。
【請求項８】
６〜８のｐＨを有する、請求項１〜７のいずれか一項に記載の処置組成物。
【請求項９】
５重量％未満の有機溶媒を含む、請求項１〜８のいずれか一項に記載の処置組成物。
【請求項１０】
５分以内で、フッ化ナトリウムの少なくとも５０％を放出する、請求項１〜９のいずれか一項に記載の処置組成物。
【請求項１１】
１分以内で、フッ化ナトリウムの９０％以下を放出する、請求項１〜１０のいずれか一項に記載の処置組成物。
【請求項１２】
１０分以内で、フッ化ナトリウムの１００％を放出する、請求項１〜１１のいずれか一項に記載の処置組成物。
【請求項１３】
最大９６重量％の水を含む、請求項１〜１２のいずれか一項に記載の処置組成物。
【請求項１４】
フッ化物を患者の歯表面に付与する方法であって、請求項１〜１３のいずれか一項に記載の水性口腔ケアフッ化物処置組成物を前記患者の歯表面に適用することを含む、方法。
【請求項１５】
適用することが、前記処置組成物を歯科用トレイ中に分配することと、その中に前記処置組成物を有する前記トレイを前記患者の歯表面に取り付けることとを含み、
前記歯科用トレイが、歯科矯正用アライナ処置トレイを含む、請求項１４に記載の方法。
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
a）局所的な鎮痛または麻酔を誘導するための、治療に有効な量のクロロプロカイン、またはその医薬として許容可能な塩と；
b）1種類以上の増粘剤と；
c）水
を含む、局所的な鎮痛または麻酔を誘導するための表面麻酔製剤。
【請求項２】
a）局所的な鎮痛または麻酔を誘導するための、治療に有効な量のクロロプロカイン、またはその医薬として許容可能な塩と；
b）1種類以上の増粘剤と；
c）水
を含む、局所的な鎮痛または麻酔を誘導するための表面麻酔ゲル製剤。
【請求項３】
a）局所的な鎮痛または麻酔を誘導するための、治療に有効な量のクロロプロカイン、またはその医薬として許容可能な塩と；
b）1種類以上の増粘剤と；
c）水
を含む、局所的な鎮痛または麻酔を誘導するための眼科用ゲル製剤。
【請求項４】
顕著な刺激または毒性を誘導せずに局所的な鎮痛または麻酔を誘導するための、請求項1〜3のいずれか1項に記載の製剤。
【請求項５】
眼科手術の間に、または角膜の擦過傷または損傷に対処するのに角膜表面に局所的な鎮痛または麻酔を誘導するための、請求項1〜4のいずれか1項に記載の製剤。
【請求項６】
2重量％〜4重量％のクロロプロカイン、またはその医薬として許容可能な塩を含む、請求項1〜5のいずれか1項に記載の製剤。
【請求項７】
2重量％〜4重量％のクロロプロカインHCl、またはその医薬として許容可能な塩を含む、請求項1〜6のいずれか1項に記載の製剤。
【請求項８】
約3重量％のクロロプロカインHClを含む、請求項1〜7のいずれか1項に記載の製剤。
【請求項９】
前記増粘剤の選択が、セルロース誘導体、天然ゴム、無機化合物からなるグループからなされる、請求項1〜8のいずれか1項に記載の製剤。
【請求項１０】
前記増粘剤の選択が、メチルセルロース、ヒドロキシエチルセルロース、ヒドロキシプロピルセルロース、キサンタンゴム、グアルゴム、ペクチン、ケイ酸アルミニウム、ケイ酸マグネシウムアルミニウム、シリカと、これらの組み合わせからなるグループからなされる、請求項1〜9のいずれか1項に記載の製剤。
【請求項１１】
0.5重量％〜1.5重量％のヒドロキシセルロースを含む、請求項1〜10のいずれか1項に記載の製剤。
【請求項１２】
0.6重量％〜1.4重量％のヒドロキシセルロースを含む、請求項1〜11のいずれか1項に記載の製剤。
【請求項１３】
酸性pH調節剤をさらに含む、請求項1〜12のいずれか1項に記載の製剤。
【請求項１４】
pHを2.8〜3.8にするのに十分な量の酸性pH調節剤をさらに含む、請求項1〜13のいずれか1項に記載の製剤。
【請求項１５】
pHを3.0〜4.0にするのに十分な量の酸性pH調節剤をさらに含む、請求項1〜14のいずれか1項に記載の製剤。
【請求項１６】
塩酸、乳酸、クエン酸、酒石酸をさらに含む、請求項1〜15のいずれか1項に記載の製剤。
【請求項１７】
pHを2.8〜4.0にするのに十分な量の塩酸をさらに含む、請求項1〜16のいずれか1項に記載の製剤。
【請求項１８】
粘性を300〜1500 mPaにするのに十分な量のヒドロキシエチルセルロースを含む、請求項1〜17のいずれか1項に記載の製剤。
【請求項１９】
a）3重量％のクロロプロカインHClと；
b）0.6％〜1.4％のヒドロキシエチルセルロースと；
c）pHを2.8〜4.0にするのに十分な量の塩酸と；
d）100％にするのに十分な量の精製水
を含む、請求項1〜18のいずれか1項に記載の製剤。
【請求項２０】
a）3重量％のクロロプロカインHClと；
b）600〜1400 mPaにするのに十分な量のヒドロキシエチルセルロースと；
c）pHを2.8〜4.0にするのに十分な量の塩酸と；
d）100％にするのに十分な量の精製水
を含む、請求項1〜19のいずれか1項に記載の製剤。
【請求項２１】
無菌である、請求項1〜20のいずれか1項に記載の製剤。
【請求項２２】
前記水が、窒素バブリングによって脱ガスされた水である、請求項1〜21のいずれか1項に記載の製剤。
【請求項２３】
欧州薬局方2016年版の2.2.10節に記載されているようにBrookField DV II+Pro Spindle 3を100 rpmにして測定したとき300〜1500 mPaの粘性を持つ、請求項1〜22のいずれか1項に記載の製剤。
【請求項２４】
ゲル、ローション、軟膏、ペースト、クリームのいずれかの形態である、請求項1〜23のいずれか1項に記載の製剤。
【請求項２５】
0.5〜2 gのゲルを含む単回投与パッケージの形態である、請求項1〜24のいずれか1項に記載の製剤。
【請求項２６】
透明または半透明である、請求項1〜25のいずれか1項に記載の製剤。
【請求項２７】
空気圧または窒素圧のもとで40℃〜70℃にて幅が0.22〜0.45ミクロンの孔を有する親水性カートリッジを通過することができる、請求項1〜26のいずれか1項に記載の製剤。
【請求項２８】
請求項1〜27のいずれか1項に記載の製剤を製造する方法であって、前記クロロプロカイン、またはその医薬として許容可能な塩と、前記1種類以上の増粘剤と、pH調節剤と、前記水を混合して製剤にすることを含む方法。
【請求項２９】
a）前記1種類以上の増粘剤と、前記pH調節剤と、水を混合してプラセボマトリックスを作り、
b）そのプラセボマトリックスを熱で殺菌し、
c）クロロプロカインまたはその医薬として許容可能な塩を水と混合し、場合によってはpH調節剤とも混合して薬溶液を調製し、
d）その薬溶液を、幅が0.22〜0.45ミクロンの孔を有するフィルタを通過させることによって殺菌し、
e）前記プラセボマトリックスと前記薬溶液を混合して前記製剤にすることを含む、請求項28に記載の方法。
【請求項３０】
3重量％のクロロプロカインHClと、0.25〜2.0％のヒドロキシエチルセルロースと、pHを2.8〜4.0にするのに十分な量の塩酸と、100％にするのに十分な精製水を混合して前記製剤にすることを含む、請求項28または29に記載の方法。
【請求項３１】
前記製剤を空気の存在下で容器に充填することをさらに含む、請求項28、29、30のいずれか1項に記載の方法。
【請求項３２】
前記容器が、0.5〜2 gのゲル製剤を含む単回投与容器である、請求項31に記載の方法。
【請求項３３】
局所的な鎮痛または麻酔を必要とする対象哺乳動物で局所的な鎮痛または麻酔を誘導するための製剤であって、該哺乳動物の体表に投与される、請求項1〜27のいずれか1項に記載の製剤。
【請求項３４】
顕著な刺激または毒性を誘導せずに局所的な鎮痛または麻酔を誘導するための、請求項33に記載の製剤。
【請求項３５】
眼科手術の間に、または角膜の擦過傷または損傷に対処するのに角膜表面に局所的な鎮痛または麻酔を誘導するための、請求項33または34に記載の製剤。
【請求項３６】
白内障手術、黄斑変性症の処置、従来の緑内障手術、硝子体切除、糖尿病性腎症のための手術、レーザー手術のいずれかを実施している間、角膜表面に局所的な鎮痛または麻酔を誘導するための、請求項33〜35のいずれか1項に記載の製剤。
【手続補正書】
【提出日】令和3年9月9日(2021.9.9)
【手続補正１】
【補正対象書類名】特許請求の範囲
【補正対象項目名】全文
【補正方法】変更
【補正の内容】
【特許請求の範囲】
【請求項１】
抗ＢＣＭＡ抗原結合タンパク質とＩＣＯＳに対する作用物質とを含んでなる、癌を治療するための組合せ医薬。
【請求項２】
前記ＩＣＯＳに対する作用物質が抗ＩＣＯＳ抗体である、請求項１に記載の組合せ医薬。
【請求項３】
前記抗ＩＣＯＳ抗体がＩＣＯＳアゴニストである、請求項２に記載の組合せ医薬。
【請求項４】
前記抗ＩＣＯＳ抗体が、配列番号１３に示されるアミノ酸配列と少なくとも９０％の配列同一性を有するアミノ酸配列を含んでなるＣＤＲＨ１；配列番号１４に示されるアミノ酸配列と少なくとも９０％の配列同一性を有するアミノ酸配列を含んでなるＣＤＲＨ２；配列番号１５に示されるアミノ酸配列と少なくとも９０％の配列同一性を有するアミノ酸配列を含んでなるＣＤＲＨ３；配列番号１６に示されるアミノ酸配列と少なくとも９０％の配列同一性を有するアミノ酸配列を含んでなるＣＤＲＬ１；配列番号１７に示されるアミノ酸配列と少なくとも９０％の配列同一性を有するアミノ酸配列を含んでなるＣＤＲＬ２；および配列番号１８に示されるアミノ酸配列と少なくとも９０％の配列同一性を有するアミノ酸配列を含んでなるＣＤＲＬ３を含んでなる、請求項２または３に記載の組合せ医薬。
【請求項５】
前記抗ＩＣＯＳ抗体が、配列番号１９に示されるアミノ酸配列と少なくとも９０％同一のアミノ酸配列を含んでなるＶＨドメイン；および配列番号２０に示されるアミノ酸配列と少なくとも９０％同一のアミノ酸配列を含んでなるＶＬドメインを含んでなる、請求項２〜４のいずれか一項に記載の組合せ医薬。
【請求項６】
前記ＩＣＯＳに対する作用物質が、Ｓ２２８Ｐ変異およびＬ２３５Ｅ変異を含んでなるＦｃ領域を含んでなる、請求項１〜５のいずれか一項に記載の組合せ医薬。
【請求項７】
前記組合せ医薬が、８ｍｇ、２４ｍｇまたは８０ｍｇの前記ＩＣＯＳに対する作用物質を含んでなる、請求項１〜６のいずれか一項に記載の組合せ医薬。
【請求項８】
抗ＢＣＭＡ抗原結合タンパク質と抗ＣＤ３８抗原結合タンパク質とを含んでなる、癌を治療するための組合せ医薬。
【請求項９】
前記抗ＣＤ３８抗原結合タンパク質が抗ＣＤ３８抗体である、請求項８に記載の組合せ医薬。
【請求項１０】
前記抗ＣＤ３８抗体がダラツムマブである、請求項９に記載の組合せ医薬。
【請求項１１】
前記抗ＢＣＭＡ抗原結合タンパク質が、配列番号１に示されるアミノ酸配列と少なくとも９０％の配列同一性を有するアミノ酸配列を含んでなるＣＤＲＨ１；配列番号２に示されるアミノ酸配列と少なくとも９０％の配列同一性を有するアミノ酸配列を含んでなるＣＤＲＨ２；配列番号３に示されるアミノ酸配列と少なくとも９０％の配列同一性を有するアミノ酸配列を含んでなるＣＤＲＨ３；配列番号４に示されるアミノ酸配列と少なくとも９０％の配列同一性を有するアミノ酸配列を含んでなるＣＤＲＬ１；配列番号５に示されるアミノ酸配列と少なくとも９０％の配列同一性を有するアミノ酸配列を含んでなるＣＤＲＬ２；および配列番号６に示されるアミノ酸配列と少なくとも９０％の配列同一性を有するアミノ酸配列を含んでなるＣＤＲＬ３を含んでなる、請求項１〜１０のいずれか一項に記載の組合せ医薬。
【請求項１２】
前記抗ＢＣＭＡ抗原結合タンパク質が、配列番号７に示されるアミノ酸配列と少なくとも９０％の配列同一性を有するアミノ酸配列を含んでなる重鎖可変領域（ＶＨ）；および配列番号８に示されるアミノ酸配列と少なくとも９０％の配列同一性を有するアミノ酸配列を含んでなる軽鎖可変領域（ＶＬ）を含んでなる抗体である、請求項１〜１１のいずれか一項に記載の組合せ医薬。
【請求項１３】
前記抗ＢＣＭＡ抗原結合タンパク質が、細胞毒素に結合された抗体を含んでなる免疫複合体である、請求項１〜１２のいずれか一項に記載の組合せ医薬。
【請求項１４】
前記細胞毒素が、ＭＭＡＥまたはＭＭＡＦから選択される、請求項１３に記載の組合せ医薬。
【請求項１５】
前記癌が、多発性骨髄腫、慢性リンパ球性白血病、ワルデンストロームマクログロブリン血症および非ホジキンリンパ腫から選択される、請求項１〜１４のいずれか一項に記載の組合せ医薬。
【請求項１６】
前記癌が多発性骨髄腫である、請求項１５に記載の組合せ医薬。
【請求項１７】
前記多発性骨髄腫が再発／難治性の多発性骨髄腫である、請求項１６に記載の組合せ医薬。
【請求項１８】
前記組合せ医薬が、原発性アミロイド症をさらに治療するための医薬である、請求項１〜１７のいずれか一項に記載の組合せ医薬。
【請求項１９】
前記組合せ医薬が、１．９ｍｇ／ｋｇ、１．９２ｍｇ／ｋｇ、２．５ｍｇ／ｋｇまたは３．４ｍｇ／ｋｇの前記抗ＢＣＭＡ抗原結合タンパク質を含んでなる、請求項１〜１８のいずれか一項に記載の組合せ医薬。
【請求項２０】
請求項１に記載の組合せ医薬の製造における、抗ＢＣＭＡ抗原結合タンパク質とＩＣＯＳに対する作用物質とを含んでなる組合せの使用。
【請求項２１】
請求項８に記載の組合せ医薬の製造における、抗ＢＣＭＡ抗原結合タンパク質と抗ＣＤ３８抗原結合タンパク質とを含んでなる組合せの使用。
【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
被験体におけるアレルギー性気道疾患（ＡＡＤ）／喘息を処置するための薬剤の製造における間葉系血管芽細胞−間葉系幹細胞（ＭＣＡ−ＭＳＣ）の使用であって、ここでＭＣＡ−ＭＳＣはｍｉＲ−１４５−５ｐ、ｍｉＲ−１８１ｂ−５ｐ及びｍｉＲ−２１４−３ｐを発現するが、ｍｉＲ−１２７−３ｐ及びｍｉＲ−２９９−５ｐを発現しない、使用。
【請求項２】
ＭＣＡ−ＭＳＣは、ＣＤ７３+ＣＤ１０５+ＣＤ９０+ＣＤ１４６+ＣＤ４４+ＣＤ１０+ＣＤ３１-ＣＤ４５-の表現型を有する、請求項１の使用。
【請求項３】
ＭＣＡ−ＭＳＣは、
（ａ）ＬｉＣｌ及びＦＧＦ２を含むが、ＰＤＧＦを除く間葉系コロニー形成培地（Ｍ−ＣＦＭ）の中で、間葉系コロニーを形成するのに十分な時間の間、酸素正常状態の下で原始中胚葉細胞を培養すること；及び
（ｂ）（ａ）の間葉系コロニーを付着させて培養し、ＭＣＡ−ＭＳＣを作製すること、
を含む方法により作られた、請求項１又は２の使用。
【請求項４】
ＭＣＡ−ＭＳＣは静脈内に又は鼻腔内に投与される、請求項１〜３の何れか１項の使用。
【請求項５】
ＭＣＡ−ＭＳＣは鼻腔内に投与される、請求項１〜４の何れか１項の使用。
【請求項６】
処置することが、ｋｇあたり約１０６個〜約２×１０８個、約１０６個、約５×１０６個、又は約１０７個のＭＣＡ−ＭＳＣを被験体に投与することを含む、請求項１〜５の何れか１項の使用。
【請求項７】
処置することが、約１×１０６個〜約１×１０９個、約１０６個〜約２×１０８個、約１０８個、約５×１０８個、又は約１０９個のＭＣＡ−ＭＳＣを被験体に投与することを含む、請求項１〜６の何れか１項の使用。
【請求項８】
被験体は哺乳動物である、請求項１〜７の何れか１項の使用。
【請求項９】
被験体はヒトである、請求項１〜８の何れか１項の使用。
【請求項１０】
喘息を処置するために、被験体は過去にコルチコステロイド又はβアゴニストの投与を受けている、請求項１〜９の何れか１項の使用。
【請求項１１】
喘息を処置するために、被験体は過去にコルチコステロイド又はβアゴニストの投与を受けていない、請求項１〜９の何れか１項の使用。
【請求項１２】
被験体は重篤な喘息又は重篤な難治性喘息を有する、請求項１〜１１の何れか１項の使用。
【請求項１３】
ＡＡＤ／喘息を処置することは；
（ａ）ＡＩ、ＡＷＲ、気道線維症、肺線維症、杯細胞化生、上皮肥厚化、気道トランスフォーミング増殖因子（ＴＧＦ）−β１レベル、上皮下筋線維芽細胞密度、上皮下コラーゲン濃度、又は総肺コラーゲン濃度を減少させること、又は
（ｂ）肺ＭＭＰ活性を増加させること、又は
（ｃ）（ａ）の何れか１つ以上の特徴の任意の組み合わせ、又は（ａ）と（ｂ）の何れか１つ以上の特徴の任意の組み合わせ、
を含む、請求項１〜１２の何れか１項の使用。
【請求項１４】
被験体がコルチコステロイド又はβ−アゴニストの投与を受けない、請求項１〜１３の何れか１項の使用。
【請求項１５】
被験体がＡＡＤ／喘息を発症する前に、発症の間に、又は発症の後に、ＭＣＡ−ＭＳＣを投与される、請求項１〜１４の何れか１項の使用。
【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
個体における自己免疫疾患の処置または予防のための方法における使用のためのＧＡＤ自己抗原であって、
−  前記個体のＨＬＡハプロタイプを決定することと；
−  前記個体を前記ハプロタイプに基づく処置レジメンに供することと
を含み、
ＨＬＡ  ＤＲ３−ＤＱ２ハプロタイプを有する個体が、少なくともＧＡＤ自己抗原による処置に供される、使用のためのＧＡＤ自己抗原。
【請求項２】
−  前記個体の前記ＨＬＡハプロタイプを決定することと；
−  前記個体において前記自己免疫疾患に関連する初期発生自己抗体の特異性を決定することと；
−  前記個体を前記ハプロタイプおよび前記初期発生自己抗体の特異性に基づく処置レジメンに供することと
を含む、請求項１に記載の使用のためのＧＡＤ自己抗原。
【請求項３】
前記自己免疫疾患が、１型真性糖尿病、１，５糖尿病、ＬＡＤＡ、ＬＡＤＹ、ＳＰＩＤＤＭ、およびＰＩＤＭからなる群から選択される、請求項１に記載の使用のためのＧＡＤ自己抗原。
【請求項４】
前記個体が、さらにＧＡＤＡを最初に示す、請求項１〜３のいずれか一項に記載の使用のためのＧＡＤ自己抗原。
【請求項５】
ＨＬＡ  ＤＲ３／４−ＤＱ２／８遺伝子型を有する個体が、同じ製剤または別々の製剤中のＧＡＤ自己抗原およびインスリン自己抗原の両方による処置に供される、請求項１〜３のいずれか一項に記載の使用のためのＧＡＤ自己抗原。
【請求項６】
ＨＬＡ  ＤＲ３／３−ＤＱ２／２遺伝子型を有する個体が、ＧＡＤ自己抗原による処置に供される、請求項１〜３のいずれか一項に記載の使用のためのＧＡＤ自己抗原。
【請求項７】
ＧＡＤ抗原の投与が、皮下、皮内またはリンパ内のうちの１つである、請求項１〜６のいずれか一項に記載の使用のためのＧＡＤ自己抗原。
【請求項８】
ＧＡＤ抗原が、アラムと共に製剤化される、請求項１〜７のいずれか一項に記載の使用のためのＧＡＤ自己抗原。
【請求項９】
ＧＡＤ抗原が、ＧＡＤ３８、ＧＡＤ６５およびＧＡＤ６７からなる群から選択される、請求項１〜８のいずれか一項に記載の使用のためのＧＡＤ自己抗原。
【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
ＭＩＣ−１化合物を含む、肥満の予防および／または治療剤であって、ＧＬＰ−１化合物と同時に、別個に、または順次投与される、予防および／または治療剤。
【請求項２】
前記ＭＩＣ−１化合物が、ＭＩＣ−１融合タンパク質である、請求項１に記載の予防および／または治療剤。
【請求項３】
前記ＭＩＣ−１融合タンパク質が、ヒト血清アルブミンと融合したＭＩＣ−１である、請求項２に記載の予防および／または治療剤。
【請求項４】
前記ＧＬＰ−１化合物が、セマグルチドである、請求項１に記載の予防および／または治療剤。
【請求項５】
前記ＧＬＰ−１化合物が、リラグルチドである、請求項１に記載の予防および／または治療剤。
【請求項６】
前記ＭＩＣ−１化合物が、ヒト血清アルブミンと融合したＭＩＣ−１であり、前記ＧＬＰ−１化合物が、セマグルチドである、請求項３または５に記載の予防および／または治療剤。
【請求項７】
前記ＭＩＣ−１化合物が、ヒト血清アルブミンと融合したＭＩＣ−１であり、前記ＧＬＰ−１化合物が、リラグルチドである、請求項３または６に記載の予防および／または治療剤。
【請求項８】
前記ＭＩＣ−１化合物の投与量が、５〜１０００ｎｍｏｌ／個体／注射である、請求項１〜７のいずれか一項に記載の予防および／または治療剤。
【請求項９】
前記ＧＬＰ−１化合物の投与量が、０．３〜５．０ｍｇ／個体／注射である、請求項１〜８のいずれか一項に記載の予防および／または治療剤。
【請求項１０】
前記予防および／または治療剤ならびにＧＬＰ−１化合物が、皮下または経口投与されるものである、請求項１〜９のいずれか一項に記載の予防および／または治療剤。
【請求項１１】
前記予防および／または治療剤が、１日１回、週に１回、または月に１回投与されるものである、請求項１〜１０のいずれか一項に記載の予防および／または治療剤。
【請求項１２】
前記ＧＬＰ−１化合物が、１日１回、週に１回、または月に１回投与されるものである、請求項１〜１１のいずれか一項に記載の予防および／または治療剤。
【請求項１３】
肥満の予防および／または治療において使用するための、ＭＩＣ−１化合物およびＧＬＰ−１化合物を含む組成物。
【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
膀胱癌の治療のための方法に使用するための式（Ｉ）：
【化１】
2020533368.tif 000001
の化合物ＡＢＸ１９６又はその医薬的に許容される塩のうちの１つであって、ここで、前記方法が、さらなる化学療法剤及び／又は免疫療法剤及び／又は抗原の投与を含まない、式（Ｉ）の化合物ＡＢＸ１９６又はその医薬的に許容される塩のうちの１つ。
【請求項２】
前記膀胱癌が、膀胱移行細胞癌、膀胱扁平上皮細胞癌、及び膀胱腺癌からなる群から選択される、請求項１に記載の使用のための式（Ｉ）：
【化２】
2020533368.tif 000002
の化合物ＡＢＸ１９６。
【請求項３】
前記膀胱癌が、膀胱移行細胞癌である、請求項２に記載の使用のための式（Ｉ）：
【化３】
2020533368.tif 000003
の化合物ＡＢＸ１９６。
【請求項４】
前記膀胱癌が、表在性又は浸潤性の癌である、請求項１〜３項の何れか１項に記載の使用のための式（Ｉ）：
【化４】
2020533368.tif 000004
の化合物ＡＢＸ１９６。
【請求項５】
前記膀胱癌の治療方法において、前記化合物ＡＢＸ１９６が、膀胱内又は静脈内に投与される、請求項１〜４項の何れかに１項に記載の使用のための式（Ｉ）：
【化５】
2020533368.tif 000005
の化合物ＡＢＸ１９６。
【請求項６】
前記膀胱癌の治療方法が、手術及び／又は放射線療法をさらに含む、請求項１〜５項の何れか１項に記載の使用のための式（Ｉ）：
【化６】
2020533368.tif 000006
の化合物ＡＢＸ１９６。
【請求項７】
前記膀胱腫瘍の体積が、治療前の前記腫瘍体積と比較して、前記化合物ＡＢＸ１９６による治療後に減少する、請求項１〜６項の何れか１項に記載の使用のための式（Ｉ）：
【化７】
2020533368.tif 000007
の化合物ＡＢＸ１９６。
【請求項８】
請求項１〜７の何れか１項に定義される使用のための式（Ｉ）：
【化８】
2020533368.tif 000008
の前記化合物ＡＢＸ１９６、及び１つ以上の医薬的に許容される賦形剤を含む医薬組成物。